(57)【要約】
【課題】  本考案は、マット材に天然ゴム素材を用いても酸化による劣化を生じさせず、自然放射物質等を利用してマットレスがもたらす細菌、バクテリア、嘔吐物等の汚染等による悪影響を解消し、ユーザーの健康を改善させると共に、特に優れた体重圧力の分散性を持たせ床ずれ防止を可能としたマットレスを提供する。
【解決手段】  本体部の天然ゴムを素材としたマット部分には複数の異なる孔（６１ａ、６１ｂ）を形成し、且つ自然放射物質を混入したマット材（１）を用い体重圧力の分散等を図り、その上面部には自然放射物質を混入させた非通気性、非透水性の合成樹脂製フィルム（２ａ）を貼り付け、底面部（２２ｂ）には同様の機能を有する滑りの良好な同様物質を混入させた同様のフィルムを貼り付け、全体として外部からの汚染物の侵入、清爽労力等を軽減し、消臭・抗菌・遠赤外線・温泉浴効果を発揮させ、ベッドの常なる衛生とユーザーの床ずれ防止及び健康を改善するよう構成する。
【選択図】  「図１７」
0003100957.tif 000002
【実用新案登録請求の範囲】
【請求項１】
天然ゴムを発泡させ形成したマット材上面部に、非透水性で非通気性の粘着性及び伸縮性を有する合成樹脂製フィルム材を塗布又は噴霧又は貼り付け、底面部には滑りの良好な非透水性で非通気性の伸縮性ある合成樹脂製フィルムを塗布又は噴霧又は貼り付けたことを特徴とするマットレス。
【請求項２】
マット材である天然ゴムの発泡樹脂体内に自然放射物質の粉末を分散させることにより、マット材に自然放射物質の粉末を混入したことを特徴とするマットレス。
【請求項３】
マット材である天然ゴム発泡樹脂体の上面部に用いる非透水性で非通気性の粘着性且つ伸縮性を有する合成樹脂製フィルムに、自然放射物質の粉末を含浸又は塗布又は噴霧又は分散させることにより、マット材に自然放射物質の粉末を混入したことを特徴とするマットレス。
【請求項４】
マット材である天然ゴム発泡樹脂体の底面部に用いる非透水性で非通気性を有する滑りの良好な伸縮性を有する合成樹脂製フィルムに自然放射物質の粉末を含浸又は塗布又は噴霧又は分散させることにより、マット材に自然放射物質の粉末を混入したことを特徴とするマットレス。
【請求項５】
厚さ方向に孔を形成して体重圧力を分散させることを特徴とする体圧分散マットレス。
【請求項６】
厚さ方向の孔が、マットレスの下面から上面に達しない孔を形成して体重圧力を分散させることを特徴とする請求項５に記載の体重圧力分散マットレス。
【請求項７】
厚さ方向の孔が、マットレスの上面から下面に達しない孔を形成して体重圧力を分散させることを特徴とする請求項５に記載の体重圧力分散マットレス。
【請求項８】
厚さ方向の孔が、マットレスを貫通する孔を形成して体重圧力を分散させることを特徴とする請求項５に記載の体重圧力分散マットレス。
【請求項９】
厚さ方向の孔が、下記（１）から（３）の何れか２種類以上の孔を形成し、これを組み合わせて体重圧力を分散させることを特徴とする請求項５に記載の体重圧力分散マットレス。
（１）マットレスの下面より形成され上面に達しない孔
（２）マットレスの上面より形成され下面に達しない孔
（３）マットレスを貫通する孔
【考案の詳細な説明】
【技術の分野】
【０００１】  本考案は、ウレタン、天然ゴム、合成ゴム等を使用したマットレスの分野に関するもので、特に、細菌感染・褥瘡防止及び健康改善に効果のあるマットレスに関する。
【背景技術】
【０００２】  従来、天然ゴム発泡樹脂体がマットレスの素材として利用されているが、その表面部等は繊維製織布で構成されている為、液体や気体及び微生物がマットレス内部まで侵入することを防護できない構造となっている。【０００３】  また、合成樹脂・ゴム等の化学的組成物をマットレスの素材とした類似の製品は、近年、環境ホルモン等の問題の一因として懸念され、その克服手段として天然物の代替利用が問題解決の一手段になるとして、根本的に見直されている傾向がある。【０００４】  さらに、従来のマットレスは、それ自体に抗菌・消臭・健康改善機能がなく、特段の効用を持たないものばかりで、特に死滅期間のあるマットレスに付着した細菌等は、依然として付着部位に留まる為、危険性を放置するという不都合な現実を克服できなかった。
【考案の開示】
【考案が解決しようとする課題】
【０００５】  上記２前段の如き天然ゴム使用の従来の製法によるマットレスでは、その表面部を覆っている繊維製織布の通気性により、内部の天然ゴム素材が空気接触する事から、天然ゴムの特性たる酸化による劣化が促進する。
この為、当初は弾力性を有していても直ぐにこれが消失し、マットレスと使用者の人体接触部位に局所的に体重圧力がかかり血流が阻害される結果、いわゆる床ずれが生じやすかった。【０００６】  そこで、本考案者は、鋭意研究を重ねた結果、マットレスの素材として天然ゴムを使用していながら、上記５の後段のように、天然ゴム素材に対する酸化による劣化が生じず、且つ医療用ベッドのマットレスとして使用しても、常に清潔を保つことができる天然ゴム製のマットレスを考案した。【０００７】  また、特に病院等の医療用ベッドマットとして、上記２前段の如き従来のマットレスを使用した場合には、その表面部を覆っている繊維製織布の透水性により、汗、排泄物、血液及び嘔吐物等の汚染物が付着・浸透したり、また細菌、バクテリア及びダニ等の有害物が織布に付着・繁殖し、マットレスの深奥まで浸透・汚染され誠に不衛生極まりなく、院内感染の主要な原因の一つとして肯認衆知されている。しかも、織布に付着したこれらの汚染物は、除去することに困難を併なう。【０００８】  よって、衛生管理上マットレスの消毒が不可欠となり、良心的な病院では、ホルマリンガス等による消毒が実施される。しかし、これらの消毒作業は危険性が高く、労力と費用が嵩む非効率なもので、経済的負担の増大による財政的圧迫が生じる等の事から、確実にこれを実施している病院は少なく、多くの病院ではマットレスの消毒をせずに、次の入院患者の使用に供せられ、何らの改善手段も採らず１０年以上も反芻使用されているのが現状である。
かように、病院のマットレスは汚染された状態で反芻使用される為、前述のとおり、マットレスが院内感染の主要な感染源の一つと位置付けられている所以である。【０００９】  そこで、マットレス内部の汚染を防護すべく、マットレスの表面部を非透水性の合成樹脂製シートで覆う手段が考えられ採用されている。かようにすれば、表面部だけを消毒や払拭等により清爽するのみで衛生管理が達せられ、作業に危険性がなく、労力や費用も軽減でき、病院経営その他か如きマットレスのユーザーの危険負担を大巾に軽減できるとする考え方である。【００１０】  しかしながら、上記９のようにマットレスの表面部を、単に非透水性の合成樹脂製シートで覆うだけでは、通気性の欠如から生じる蒸れによりユーザーの人体表面部等に逆に悪影響を及ぼすと指摘されている。
また、従来のマットレスは、それ自体に抗菌・消臭・健康改善機能がない為、例えば、合成樹脂製シートに付着したバクテリアや細菌等は、付着して死減しない限り、消毒や払拭が実施されるまで依然として付着部位に留まる為、人や器機を介して分散伝播することが否めず、やはり院内感染防止の見地からは、必ずしも充分ではないことが自明の理として指摘されている現状である。【００１１】  従来のマットレスは、クッション性を有していても、身体に及ぼす押圧力が常に上下方向のみで、しかも素材が、人体の毛細血管内の血圧力より強い反発力で人体に当接しており、それが為に毛細血管内の血流阻害が生じ、床ずれを生じる一因となっていた。
【課題を解決する為の手段】
【００１２】  本考案マットレスは、天然ゴム発泡樹脂体より形成されるマット材の上面部に、非透水性、非通気性、粘着性且つ伸縮性を有する請求項３・４のフィルム（２ａ）を取り合せたものである。
【００１３】  かように構成すれば、マット材を覆う請求項３・４のフィルム（２ａ、２２ｂ）が非通気性であるから、天然ゴム発泡樹脂体より形成されるマット材と空気との接触が遮断できる。
【００１４】  さらに、マット材を覆う請求項３・４のフィルム（２ａ、２２ｂ）が非透水性であるから、汗、排泄物あるいは血液等の液体がマット材に浸透しない。
【００１５】  加えて、マット材を覆う請求項３・４（２ａ、２２ｂ）のフィルムが非通気性且つ非透水性であるから、マット材にバクテリアや細菌、ダニ等が侵入できない。
【００１６】  また、マット材を覆う上面部が請求項３・４のフィルム（２ａ、２２ｂ）であるから、その表面部に付着した汚染物の払拭が容易である。
【００１７】  本考案マットレスは、全体として、自然放射物質が混入され（図１・２、３、４）、その放射線効果により、バクテリアや細菌を早期に滅失できる。
【００１８】  さらに、自然放射線効果、特に遠赤外線・ラドン効果により、人体の健康改善に有益な結果をもたらす。
【００１９】  しかして、本考案マットレスの上面部には請求項３のフィルム（２ａ）を使用し、底面部には請求項４のフィルム（２２ｂ）を使用した結果、その上面部の粘着性により、ベッドを傾斜させる際に、ベッドに横たわっている人体に対して滑り止め作用が働き、ユーザーの自然な姿勢を損ねることがない。また、底面部の滑りの良好さにより、ベッドメイキングを容易にさせ労力が軽減される。
【００２０】  従来の体重圧力の分散を考慮したマットレスは、いずれも満足が得られるものではなかった。すなわち、従来のものでは体重圧力の分散が不完全で、これにより、毛細血管内の血流が阻害される結果床ずれを生じていた。即ち、マットレスの反発力により人体の毛細血管内の血圧力以上の押圧力をかけ続けることが主因となっていたのである。
【００２１】  図１５は、従来のマットレスに仰向いた状態を示すマットレスの概要図であり、図１６は、体重圧力の作用方向を示す模式図である。かように、従来のマットレスは、その上面部や内面部にクッション性を付与してはいるが、身体の隆突部位に当接する箇所が、体重圧力により単純に沈降するだけで、この体重圧力に対抗比例するマットレスの反発力、すなわち、体重圧力に比例する押圧力の方向は、常に上下方向のみとなる。かように従来のマットレスの構造では、身体重量をそのまま垂直に支える構造となっており、体重圧力を直下的にしか分散しない構成で作られている為、いくらマット材を柔らかくしても体重圧力の分散・減少には自ら構造的限界があった。
【００２２】  したがって、従来の体重圧力の分散を考慮したマットレスは、例え全体的にクッション性を付与していたとしても、前記したように、床ずれ発生の原因である身体に対し、持続的上下方向の毛細血管を圧迫する押圧力をかけ続ける好ましからぬものであった。
【００２３】  そこで、本考案者は、鋭意研究を重ねた結果、マットレスからの押圧力が集中する部分をなくし、床ずれ防止、衛生、健康改善に有益な本考案に係る各請求項記載の機能を有するマットレスを考案した。
【００２４】  本考案マットレスは、厚さ方向に身体と接触しない部分を確保する孔を形成し（２１、４１、３１、５１、６１、７１）、且つ体重圧力を直下方向以外にも分散・減少させる（図６）ことを可能とした（請求項５）。
【００２５】  具体的には、先ず本考案マットレスの厚さ方向の孔が、マットレスの下面より上方向に形成され、且つマットレスの上面に達しない孔とすることにより、身体に接触しない部分を形成し、体重圧力の分散・減少を可能とした（請求項６）。
【００２６】  さらに、本考案マットレスの厚さ方向の孔が、マットレスの上面より下方向に形成され、且つマットレスの下面に達しない孔とすることにより、身体に接触しない部分を形成し、体重圧力の分散・減少を可能とした（請求項７）。
【００２７】  さらにまた、本考案マットレスの厚さ方向の孔が、マットレスを貫通する孔とすることにより、身体に接触しない部分を形成し、体重圧力の分散・減少を可能とした（請求項８）。
【００２８】  また、本考案マットレスの厚さ方向の孔が、下記（１）から（３）のいずれか２種類以上の孔を組み合わせたものとすることにより、身体に接触しない部分を形成し、体重圧力の分散・減少を可能とした（請求項９）
（１）マットレスの下面より形成され、且つ上面に達しない孔
（２）マットレスの上面より形成され、且つ下面に達しない孔
（３）マットレスを貫通する孔
【００２９】  本考案マットレスの孔は、前述したとおり、マットレスの上面から下面まで貫通した孔、あるいは上面又は下面からの孔であって貫通しないものであるから、マットレスからの押圧力が毛細血管内の血圧より低く押さえられ、毛細血管内の血液循環が円滑に行われる結果、血流阻害による床ずれの発生を防止できる。
【００３０】  本考案マットレスは、マット材に自然放射物質の粉末を混入したものである（１ａ）。具体的な混入方法としては、マット材である発泡樹脂体内に自然放射物質の粉末を分散する手法を用いる（請求項２）。またマット材である発泡樹脂体の表面部を合成樹脂製フィルムで加工し（２ａ、２２ｂ）、この合成樹脂製フィルムの素材に自然放射物質の粉末を含浸又は塗布又は噴霧又は分散する手法を用いる（請求項３・４）。
【００３１】  かように構成することにより、自然放射物質がもたらす消臭効果・抗菌効果・遠赤外線・温泉浴効果等の種々の身体に有益な効果が発揮され、衛生及び健康状態を改善することが可能となる。
【考案の効果】
【００３２】  本考案マットレスは、その表面部を非透水性、非通気性、伸縮性のあるの被膜で覆うことにより、マットレスの柔軟性を損なわずして、汗、排泄物、血液及び嘔吐物等による不衛生な液体のみならず、細菌、バクテリア、ダニ等の微細な生物がマットレスの内部に侵入することを阻止できる。しかして、その表面部に付着した汚染物を容易に拭き取ることが可能故、マットレスを常に清潔に保つことができると共に院内感染の原因たるマットレスの汚染防止を可能とするので医療用寝具として最適である。
【００３３】  本考案マットレスは、天然ゴムよりなるマット材の表面部に、請求項３・４のフィルムを配したものであるから、非通気性である為、空気と天然ゴムマット材との接触を遮断し、天然ゴムの特性である酸化による劣化を防止でき、マットレスの弾力性の保持等を含むその全体的耐久性の大幅な増大が可能となる。
【００３４】  また、マット材を覆う請求項３・４のフィルムが非透水性であるから、汗、排泄物あるいは血液等の液体がマット材に浸透するのを防止できる。
【００３５】  また、マット材を覆う請求項３・４のフィルムが非通気性で且つ非透水性であるから、マット材にバクテリアや細菌、ダニ等が侵入するのを防止でき、格段の衛生度が確保され、院内感染の原因となるベッドマットの全体的汚染の防止ができ、病院等のユーザー用マットレスとして最適な構造となっている。
【００３６】  本考案マットレスは、その全体に自然放射物質を混入しているので、遠赤外線・温泉浴効果により、すばやく消臭・抗菌効果を発揮し、極めて高い衛生、健康改善効果を確保できる。
【００３７】  さらにまた、マット材を覆う上面部が請求項３のフィルムである為、その表面部に付着した汚染物を簡単に拭き取ることができるので、労力の軽減、マットレスの清潔を常に保つことができる。
【００３８】  また、本考案マットレスの上面部側には粘着性のあるフィルムを使用し、マットレスの底面部側には滑りの良好なフィルムを使用した結果、その上面部の粘着性により、ベッドをギャッジアップ、即ち傾斜させた場合に、ベッド上の人体が滑り、ずり下がることを防止する効果があるので良好な自然姿勢を損ねることがない。また、底面部の滑りの良好さにより、ベッドメイキングを容易に行うことができ労力の軽減が図れる利点がある。
【００３９】  本考案マットレスは、請求項５乃至同９の孔を形成して構成されているので身体重量に基づく圧力を分散して、毛細血管内の血流阻害を防ぐことができる。
【００４０】  厚さ方向に孔を形成すれば、その孔の部分のマットレス上の人体部位は柔らかいスポンジの柱の上に乗った状態と同様となり、その柱は体重によって空気孔の方向へ全て自然に倒れるので、体重圧力はそれらの空気孔に無理なく分散される。
【００４１】  かように本考案マットレスは、圧力が加わる反対方向に向かって体重圧力を逃がす考え方で構成されているので、従来のマットレスでは到底得られなかった除圧分散効果が発揮される。
【００４２】  よって、本考案マットレスは、人体の隆突部位接触箇所が、その隆突部位に沿った無理のない形状となり、理想的な体重圧力の分散が図れるので、ユーザーが如何如き体位で本考案マットレス上に臥せても、本考案マットレスからの押圧力が局所的に集中する部分がなく、自然な眠りが得られ、床ずれ予防及び健康衛生上の高い効果がある。
【００４３】  なお、孔の大きさ・配列・間隔を変化させることで、ユーザーの体重や実態に合わせた柔軟な床ずれ予防や健康衛生上の選択的活用が可能となる。
【考案を実施する為の最良の形態】
【００４４】  本考案を実施する為の最良の形態を図１乃至図４に基いて詳細に説明する。なお、本考案において用いる自然放射物質は、消臭・抗菌・遠赤外線・温泉浴効果の高い井上鉱石、二俣鉱石あるいはこれと類似の効用のある鉱石類の粉末を素材として用いる。
【００４５】  図１は、本考案マットレスＡの第１の実施例を示す断面図であり、マット材である発泡樹脂体内に自然放射物質の粉末を分散させたものである。図において１はマット材である発泡樹脂体、１ａは自然放射物質の粉末を示す。
【００４６】  図２は、本考案マットレスＢの第２の実施例を示す断面図であり、マット材である発泡樹脂体の底面部を合成樹脂製フィルムで加工し、この合成樹脂製フィルムの素材に自然放射物質の粉末を含浸又は塗布又は噴霧又は分散して構成したものである。１はマット材である発泡樹脂体部、２２ｂは合成樹脂製フィルム部、２ｂは自然放射物質の粉末を示す。
【００４７】  図３は、本考案マットレスＣの第３の実施例を示す断面図であり、マット材である発泡樹脂体内に自然放射物質の粉末を含浸又は塗布又は噴霧して構成したものである。図において１はマット材である発泡樹脂体、１ａに自然放射物質の粉末を示す。
【００４８】  図４は、本考案マットレスＤの第４の実施例を示す断面図であり、マット材である発泡樹脂体の表面部に自然放射物質の粉末を含浸又は塗布又は噴霧して構成したものである。図において１はマット材である発泡樹脂体、４ａは自然放射物質の粉末の含浸又は塗布又は噴霧層を示す。
【００４９】  以上のようにマットレスを構成したことにより、本考案マットレスは、自然放射物質が有する消臭効果及び抗菌効果により、マットレス自体の衛生性が常に保全され、また、自然放射物質が有する遠赤外線・温泉浴効果により、これを利用するユーザーの健康状態を改善する機能を有する。
【００５０】  続いて本考案を実施する為の最良の形態を図５乃至図７により説明する。図５は、本考案マットレスの斜視図、図６は、人が横たわった状態を示す本考案マットレスの概要図及び図７は、力が作用する方向を示す模式図である。
【００５１】  図５において（１０）は、本考案マットレスの第５の実施例であり、厚さ方向に複数の孔（１１）を形成する。当該孔（１１）は、本考案マットレス（１０）の下面より上方向に、且つ本考案マットレス（１０）の上面に達しないように形成されている。かように孔（１１）を形成した本考案マットレス（１０）に身体を横たえると、特に身体の隆突部分（肩甲部・頭・臀部・踵等）が当接する箇所においては、図２に示すように、孔（１１）を形成したことにより形成される発泡樹脂体の柱（１２）が体重により深く沈む為屈曲する。この柱（１２）は、身体を支える役目を果たすので、屈曲した柱は、その屈曲した方向に身体を支え、図７に示すように、身体に対する本考案マットレスの圧力は、上下方向以外に屈曲した方向にも分散される。しかもこの屈曲した柱は、屈曲する故に身体に対する押圧力が弱まり、体重圧力方向が分散されるに加え、圧力自体に弱少化が生ずる。
【００５２】  したがって、本実施例の本考案マットレス（１０）は、身体に対する押圧力の方向が分散し弱少化するので、本考案マットレスからの反発力が毛細血管内の血圧より低く押さえられ、血液の循環が円滑に行われ、床ずれの発生を抑制できる結果となる。
【００５３】  図８は、第６の実施例を示す斜視図であり、本考案マットレス（２０）の厚さ方向の孔（２１）が、本考案マットレスの上面より下方向に形成され、且つ本考案マットレスの下面に達しないよう形成する。（２２）は柱を示す。
【００５４】  図９は、第７の実施例を示す斜視図でり、本考案マットレス（３０）の厚さ方向の孔（３１）が、本考案マットレスを貫通する孔より形成されている。（３２）は柱を示す。
【００５５】  上記第６及び第７の実施例に示す本考案マットレスは、その構成上、上記第５の実施例に示す本考案マットレスと同様の作用及び効果を奏することは明らかである。なお、第６及び第７の実施例に示す本考案マットレスは、孔の形成以外の構成については第５の実施例と変わるところがない。
【００５６】  図１０は、第８の実施例を示す斜視図であり、本考案マットレス（４０）における厚さ方向の孔（４１）は、本考案マットレスの下面より上方向に形成され、且つ本考案マットレスの上面に達しない孔（４１ａ）と、本考案マットレスの上面より下方向に形成され、且つ本考案マットレスの下面に達しない孔（４１ｂ）と構成される。（４２）は柱を示す。
【００５７】  図１１は、第９の実施例を示す斜視図であり、本考案マットレス（５０）の厚さ方向の孔（５１）は、本考案マットレスの下面より上方向に形成され、且つ上面に達しない孔（５１ａ）と、本考案マットレスを貫通する孔（５１ｂ）とで構成される。（５２）は柱を示す。
【００５８】  図１２は、第１０の実施例を示す斜視図であり、本考案マットレス（６０）における厚さ方向の孔（６１）は、本考案マットレスの上面より下方向に形成され、且つ下面に達しない孔（６１ａ）と、本考案マットレスを貫通する孔（６１ｂ）とで構成される。（６２）は柱を示す。
【００５９】  図１３は、第１１の実施例を示す斜視図であり、本考案マットレス（７０）の厚さ方向の孔（７１）は、本考案マットレスの下面より上方向に形成され、且つ上面に達しない孔（７１ａ）と、本考案マットレスの上面より下方向に形成され、且つ下面に達しない孔（７１ｂ）と、本考案マットレスを貫通する孔（７１ｃ）とで構成される。（７２）は柱を示す。
【００６０】  上記第８から第１１の実施例に示す本考案マットレス、上記第５の実施例に示す本考案マットレスと同様の作用及び効果のみならず、各実施例に示すように、種々に組み合わせた孔を形成した為、身体に対する押圧力の方向がさらに分散し、その強弱が種々に変化するので、同様の作用及び効果がより一層発揮される。なお、第８から第１１の実施例に示す本考案マットレスは、孔の形成以外の構成については第５の実施例と変わるところがない。
【００６１】  図１４は、孔の形状を示す一例である。孔（ａ）は四角柱状の孔であり、孔（ｂ）は円柱状の孔であり、孔（ｃ）は倒円錐形状の孔であり、孔（ｄ）は円錐形状の孔であり、孔（ｅ）は中間に突部を有する形状の孔である。なお、本考案マットレスで用いる孔の形状はこれらに限られるものではない。
【産業上の利用可能性】
【図面の簡単な説明】
【図１】  本考案に係るマットレスの第１の実施例を示す断面図である。
【図２】  本考案に係るマットレスの第２の実施例を示す断面図である。
【図３】  本考案に係るマットレスの第３の実施例を示す断面図である。
【図４】  本考案に係るマットレスの第４の実施例を示す断面図である。
【図５】  本考案マットレスの斜視図である。
【図６】  人が横たわった状態を示す本考案マットレスの概要図である。
【図７】  力が作用する方向を示す模式図である。
【図８】  第６の実施例を示す斜視図である。
【図９】  第７の実施例に示す斜視図である。
【図１０】  第８の実施例に示す斜視図である。
【図１１】  第９の実施例に示す斜視図である。
【図１２】  第１０の実施例に示す斜視図である。
【図１３】  第１１の実施例に示す斜視図である。
【図１４】  孔の形状一例を示す斜視図である。
【図１５】  従来のマットレスに人が横たわった状態を示すマットレスの概要図である。
【図１６】  従来のマットレスの力が作用する方向を示す模式図である。
【図１７】  本考案マットレスの第６の実施例を示し、その一部切欠斜視図である。
【図１８】  図５における本考案マットレスの一部拡大断面図である。
【図１９】  本考案マットレスの第６の実施例を示し、本考案マットレスの一部拡大断面図である。
【符号の説明】
Ａ、Ｂ、Ｃ、Ｄ、１０、２０、３０、４１、５０、６０、７０・・・本考案マットレス
１・・・本考案マット材
２ａ・・・上面部の合成樹脂製フィルム
４ａ・・・上面部の自然放射物質粉末の塗布層
１ａ、２ｂ・・・自然放射物質の粉末
１０・・・本考案マットレスのマット材の断面図
１１、４１ａ、５１ａ、７１ａ・・・本考案マットレスの下面より形成され、且つ上面に達しない孔
１２、２２、３２、４２、５２、６２、７２・・・柱
２１、４１ｂ、６１ａ、７１ｂ・・・本考案マットレスの上面より形成され、且つ下面に達しない孔
２２ｂ・・・底面部の合成樹脂製フィルム
３１、５１ｂ、６１ｂ、７１ｃ・・・本考案マットレスを貫通する孔
（ａ）・・・四角柱状の孔
（ｂ）・・・円柱状の孔
（ｃ）・・・倒円錐形状の孔
（ｄ）・・・円錐形状の孔
（ｅ）・・・中間に突部を有する形状の孔
【図１】
0003100957.tif 000003
【図２】
0003100957.tif 000004
【図３】
0003100957.tif 000005
【図４】
0003100957.tif 000006
【図５】
0003100957.tif 000007
【図７】
0003100957.tif 000008
【図１６】
0003100957.tif 000009
【図６】
0003100957.tif 000010
【図８】
0003100957.tif 000011
【図１０】
0003100957.tif 000012
【図１４】
0003100957.tif 000013
【図９】
0003100957.tif 000014
【図１１】
0003100957.tif 000015
【図１２】
0003100957.tif 000016
【図１３】
0003100957.tif 000017
【図１５】
0003100957.tif 000018
【図１７】
0003100957.tif 000019
【図１８】
0003100957.tif 000020
【図１９】
0003100957.tif 000021
【手続補正書】
【提出日】平成15年11月12日(2003.11.12)
【手続補正１】
【補正対象書類名】実用新案登録請求の範囲
【補正対象項目名】全文
【補正方法】変更
【補正の内容】
【実用新案登録請求の範囲】
【請求項１】
天然ゴムを発泡させ形成したマット材の厚さ方向に下記（１）から（３）の孔を形成し、又はこれらの孔を組み合わせて体重圧力を分散させることを特徴とするマットレス。
（１）マット材の下面より形成され上面に達しない孔
（２）マット材の上面より形成され下面に達しない孔
（３）マット材を貫通する孔
【請求項２】
請求項１のマット材に自然放射物質の粉末を分散させることにより、マット材に自然放射物質の粉末を混入したことを特徴とするマットレス。
【請求項３】
請求項１のマット材の上面部に、非透水性で非通気性の粘着性及び伸縮性を有する合成樹脂製フィルム材を塗布又は噴霧又は貼り付け、底面部には滑りの良好な非透水性で非通気性の伸縮性ある合成樹脂製フィルムを塗布又は噴霧又は貼り付けたことを特徴とするマットレス。
【請求項４】
請求項１のマット材の上面部に用いる請求項３の非透水性で非通気性の粘着性且つ伸縮性を有する合成樹脂製フィルムに、自然放射物質の粉末を含浸又は塗布又は噴霧又は分散させることにより、マット材に自然放射物質の粉末を混入したことを特徴とするマットレス。
【請求項５】
請求項１のマット材の底面部に用いる請求項３の非透水性で非通気性を有する滑りの良好な伸縮性を有する合成樹脂製フィルムに自然放射物質の粉末を含浸又は塗布又は噴霧又は分散させることにより、マット材に自然放射物質の粉末を混入したことを特徴とするマットレス。